(57)【要約】【課題】  油分の捕集効率の高いレンジフードにおいて、頻繁に着脱を行う油分を捕集する部材を容易に取り外しできると共にその脱落を防止する。【解決手段】  レンジフード１は、空気の流れを発生させるファン４と、その流れを通す孔を有する円盤状のフィルタ１０と、フィルタを回転させる電動機２０と、フィルタの周囲に位置する油分捕集部材３０と、油分捕集部材の一方を保持する保持部５０と、油分捕集部材の他方を係合する係合部６０と、を備える。油分捕集部材は、フィルタの周縁端部１２を囲むフランジ部３２とフランジ部より内側に延在する延在部３３を有する。保持部は、延在部を支持する支持部とフランジ部の端部と当接する当接部を有する。フランジ部の端部は、係合部が油分捕集部材の他方を係合している場合には当接部と当接せず、係合部が油分捕集部材の他方から係合を離れ、油分捕集部材が支持部を支点として回転した場合には当接部と当接する。【選択図】  図３
2015114058.tif 000002
【特許請求の範囲】
【請求項１】
空気の流れを発生させるファンと、
前記ファンと連通する連通口を有する内面パネルと、
前記連通口に位置し、孔を有する円盤状のフィルタと、
前記フィルタを回転させる電動機と、
前記フィルタの周囲に位置する油分捕集部材と、
前記油分捕集部材の一方を保持する保持部と、
前記油分捕集部材の他方を係合する係合部と、
を備え、
前記油分捕集部材は、
前記フィルタの周縁端部を囲むフランジ部と、
前記フランジ部の下端部で、前記フランジ部より内側に延在する延在部と、
を有し、
前記保持部は、
前記延在部を支持する支持部と、
前記フランジ部の端部と当接する当接部と、
を有し、
前記フランジ部の端部は、前記係合部が前記油分捕集部材の他方を係合している場合には前記当接部と当接せず、前記係合部が前記油分捕集部材の他方から係合を離れ、前記油分捕集部材が前記支持部を支点として回転した場合には前記当接部と当接する、
レンジフード。
【請求項２】
前記フランジ部の端部および前記当接部は、共に直線状であることを特徴とする請求項１に記載のレンジフード。
【請求項３】
前記フランジ部の端部および前記当接部は、少なくとも２か所で当接することを特徴とする請求項１または２に記載のレンジフード。
【発明の詳細な説明】
【技術分野】
【０００１】
本発明は、レンジフードに関し、特にフィルタを回転させて油分を捕集する油捕集装置およびそれを備えたレンジフードに関する。
【背景技術】
【０００２】
調理器の上方または周囲に設置され、調理により発生した煙や油粒子、臭気を捕集して排気または室内に循環するレンジフードには、捕集した空気から油を分離回収するための油捕集装置が設けられている。この油捕集装置は、油捕集率を高めることが当該装置の空気の流れの下流側の送風機やダクト等の汚れを防止し、これらのメンテナンス周期の長期化や長寿命化に貢献することから、円盤状のフィルタを高速回転させて油分を捕集することで高い油捕集率を実現する高捕集型油捕集装置を搭載したレンジフードを本出願人自ら出願している（特許文献１）。
【先行技術文献】
【特許文献】
【０００３】
【特許文献１】特願２０１１−２９０１５０号公報
【発明の概要】
【発明が解決しようとする課題】
【０００４】
このようなレンジフードでは、高速回転する円盤状のフィルタの周囲やその下方に位置して油脂分を回収する部材を設けて、フィルタで捕獲し飛散する油脂分を捕集し、油脂分がレンジフードから滴下することを防止する。また、かかる油分を捕集する部材は、空気中から分離回収した油脂分を蓄える油溜まりの機能も有しているため、定期的にこの部材を取り外して溜まった油を廃棄する必要がある。また、フィルタを洗う際にもまずこの部材を取り外した後に円盤状のフィルタを取り外す必要がある。
【０００５】
そして、この部材を取り外すために、この部材をレンジフード本体（内面パネル）から取り外す際に、操作を誤って本部材を落下させてしまう恐れがあった。そこで、本部材の取り外し時に誤って落下しないようにすることが望まれていた。
【０００６】
そこで、本発明は、油分の捕集効率の高いレンジフードにおいて、頻繁に着脱を行う油分を捕集する部材を容易に取り外しできると共にその脱落を防止するレンジフードを提供することを目的とする。
【課題を解決するための手段】
【０００７】
上記課題を解決するために、空気の流れを発生させるファンと、そのファンと連通する連通口を有する内面パネルと、その連通口に位置し、孔を有する円盤状のフィルタと、そのフィルタを回転させる電動機と、フィルタの周囲に位置する油分捕集部材と、その油分捕集部材の一方を保持する保持部と、油分捕集部材の他方を係合する係合部と、を備え、油分捕集部材は、フィルタの周縁端部を囲むフランジ部と、フランジ部の下端部で、フランジ部より内側に延在する延在部と、を有し、保持部は、延在部を支持する支持部と、フランジ部の端部と当接する当接部と、を有し、フランジ部の端部は、係合部が油分捕集部材の他方を係合している場合には当接部と当接せず、係合部が油分捕集部材の他方から係合を離れ、油分捕集部材が支持部を支点として回転した場合には当接部と当接する、レンジフードが提供される。
これによれば、使用者が油分捕集部材を取り外そうとして、係合部が油分捕集部材から係合を離れた時、油分捕集部材が支持部を支点として回転して当接部と当接することで、容易に取り外すことができると共に、油分捕集部材の脱落を防止することができる。
【０００８】
さらに、フランジ部の端部および当接部は、共に直線状であることを特徴としてもよい。
これによれば、当接部分が長くなるので左右のブレなどが無く、より安定した状態で脱落を防止できる。
【０００９】
さらに、フランジ部の端部および当接部は、少なくとも２か所で当接することを特徴としてもよい。
これによれば、少なくとも２か所で当接することで、左右のブレなどが無く、より安定した状態で脱落を防止できる。
【発明の効果】
【００１０】
以上説明したように、本発明によれば、油分の捕集効率の高いレンジフードにおいて、油分を捕集する部材を容易に取り外しできると共にその脱落を防止するレンジフードを提供することができる。
【図面の簡単な説明】
【００１１】
【図１】本発明に係る第一実施例のレンジフードの（Ａ）底面図、（Ｂ）整流板を取り外した場合の底面図。
【図２】本発明に係る第一実施例のレンジフードの、整流板と油分捕集部材を取り外した場合の、（Ａ）底面図、（Ｂ）右下から見た斜視図、（Ｃ）右下から見た拡大斜視図。
【図３】本発明に係る第一実施例における、油分捕集部材が装着状態のレンジフードの（Ａ）断面図（図２（Ａ）のＢ−Ｂ断面における）、（Ｂ）油分捕集部材付近の同拡大断面図（同断面における）。
【図４】本発明に係る第一実施例の油分捕集部材の、（Ａ）平面図、（Ｂ）正面図、（Ｃ）背面図、（Ｄ）右側面図、（Ｅ）左上から見た斜視図、（Ｆ）右後から見た斜視図。
【図５】本発明に係る第一実施例の油分捕集部材の、（Ａ）断面図（図４（Ａ）のＡ−Ａ断面における）、（Ｂ）正面側の被係合部付近の拡大断面図（同断面における）、（Ｃ）平面側の被支持部付近の拡大断面図（同断面における）。
【図６】本発明に係る第一実施例における、係合部の係合が離れた時のレンジフードの（Ａ）断面図（図２（Ａ）のＢ−Ｂ断面における）、（Ｂ）油分捕集部材付近の同拡大断面図（同断面における）。
【図７】本発明に係る第一実施例のレンジフードの、油分捕集部材が取り外される時の、（Ａ）右下から見た斜視図、（Ｂ）右下から見た拡大斜視図。
【図８】本発明に係る第一実施例における、油分捕集部材が取り外される時の、（Ａ）断面図（図２（Ａ）のＢ−Ｂ断面における）、（Ｂ）油分捕集部材付近の同拡大断面図（同断面における）。
【図９】本発明に係る第一実施例のレンジフードにおける、油分捕集部材が取り外される場合を示す説明図。
【発明を実施するための形態】
【００１２】
以下では、図面を参照しながら、本発明に係る実施例について説明する。
＜第一実施例＞
図１乃至図３を参照し、本実施例にかかるレンジフード１について説明する。レンジフード１は、下方または周囲で行われる調理によって発生する湯気や油煙等を捕集するための、上方に凹状の内面パネル５を内面に有する薄型のフード部２を有する。フード部２は、上部後方に位置する内面パネル５の連通口６付近で、排気ダクト（図示せず）に接続される送風機ボックス３と連結されている。送風機ボックス３は、幕板９の背面側に位置し、内部にシロッコファンであり空気の流れＤ１を発生させるファン４を有する。従って、ファン４が稼働すると連通口６は負圧となり、内面パネル５の下方の空気は連通口６を通して吸入され、排気ダクトを通して外部に排出される。連通口６は、ファン４と連通し、ファン４が発生させた空気の流れＤ１の流路上であって、ファン４より空気の流れの上流側に位置する。
【００１３】
レンジフード１は、連通口６の位置に、空気の流れＤ１を通過させる孔１１を有する円盤状のフィルタ１０と、円盤状のフィルタ１０の中心にシャフトを連結され、フィルタ１０を回転させる電動機２０と、電動機２０を内面パネル５に取り付けるための電動機取付具４０と、内面パネル５に取り付けられ、フィルタ１０の外周縁を囲むようにして配置される油分捕集部材３０と、を備える。従って、レンジフード１は、ファン４が発生させる空気の流れＤ１の流路上であって、ファン４よりその流れの上流側に存在し、その空気の流れを図視で下から上に通過させる孔１１を有するフィルタ１０を、回転可能に備える。
【００１４】
内面パネル５の下方の空気は、調理によって発生する湯気や油煙等を含んでおり、ファン４が稼働すると、連通口６に存在する、即ちファン４が発生させた空気の流れＤ１の流路上であってファン４より上流側に位置するフィルタ１０の孔１１に吸引され、その孔１１を通過することになる。フィルタ１０は、電動機２０により回転可能に設けられており、レンジフード１が稼働すると、ファン４が空気の流れＤ１を発生させると共に電動機２０がフィルタ１０を回転させる。レンジフード１は、フィルタ１０を回転させることにより、空気に含まれる油分を油分捕集部材３０に捕集する。また、フィルタ１０は、電動機２０のシャフト２１の先端部分に、着脱具１４により着脱自在に取り付けられる。
【００１５】
かかるレンジフード１は、従来のスロットフィルタやＨＥＰＡフィルタ等を用い、スリットや目を細かくしたり、重ね合わせて複層としたりすることにより油捕集効率を向上させることに比べ、圧力損失が小さい状態で高い油捕集効率を有することができる。よって、従来のフィルタと比較して低い通気抵抗を維持したまま高い油捕集効率を得ることができる。また、フィルタに油分が付着し目詰まりを起こすことが少なくなることにより、フィルタ自体の洗浄の労力が低減し、使用するに従って圧力損失が増加することを防止でき、さらに、空気流路におけるフィルタより下流部分にほとんど油分が付着しないため、フィルタより下流部分を清掃／洗浄する手間を大幅に軽減するレンジフードを提供できる。
【００１６】
一方、その代り、フィルタ１０より上流側に位置し、フィルタ１０により捕獲された油分が捕集される油分捕集部材３０には、短期間に油脂分が溜まり易い。そのため、溜まった油脂を捨てるために頻繁に油分捕集部材３０を着脱する必要がある。
【００１７】
レンジフード１は、さらに、油分捕集部材３０の背面側を保持する保持部５０と、油分捕集部材３０の正面側を係合する係合部６０とを備える。油分捕集部材３０は、その背面側の一部を保持部５０により保持され、その正面側の一部を係合部６０により係合されることで、レンジフード１に取り付けられる。
【００１８】
図４および図５、並びに図９（Ａ）も参照しながら、油分捕集部材３０、保持部５０および係合部６０について説明する。油分捕集部材３０は、中央部にファン４により生ずる空気の流れを通す通気開口部３５と、その周りにほぼ同じ幅を有する円弧状部分と背面側に油溜まり３１となる直線状部分とからなり、全体として環状をなす。油分捕集部材３０は、フィルタ１０の周縁端部１２の外側および下方の周囲を取り囲むように配置される。フィルタ１０は、通気開口部３５の中を流れる空気が含む油分を捕獲し、周縁端部１２の方へ飛散させる。油分捕集部材３０は、フィルタ１０が捕獲し飛散させた油分等を捕集する。
【００１９】
油分捕集部材３０は、フィルタ１０の周縁端部１２を外側から囲み、飛散した油分を受け止めるフランジ部３２と、油脂分がレンジフードから滴下することを防止するため、フランジ部３２の下端部でフランジ部３２より内側（中心側）に延在し、フィルタ１０の周縁端部１２の下側を覆う延在部３３と、延在部３３からフランジ部３２と同じ側へ（上方へ）立ち上り、通気開口部３５を囲むように延在部３３の内縁端部からフィルタ１０側に立ち上がる立ち上り部３４とを有し、フィルタ１０から捕集した油を留めておく油溜まり３１を形成する。フィルタ１０の周縁端部１２を外側から囲むように配置されるフランジ部３２と立ち上り部３４は、円弧状部分においては、平面視で周縁端部１２を挟みほぼ等しい距離を有する。
【００２０】
油分捕集部材３０は、正面側の延在部３３とフランジ部３２との角部に、係合部６０と係合するために凹部となった被係合部３６を有する。被係合部３６の高さは、凸状の係合部が嵌り込む程度である。また、油分捕集部材３０は、背面側直線状部分の延在部３３とフランジ部３２との角部に、保持部５０に保持される被支持部３３１を有する。被支持部３３１は、保持部５０の板厚分だけ窪んでおり、延在部３３の下面と保持部５０の下面は面一となる。
【００２１】
フランジ部３２の延在部３３からの高さは、油分捕集部材３０がレンジフード１に取り付けられた時には、フィルタ１０の周縁端部１２よりも高い位置になる高さである。これにより、フィルタ１０の前面で飛散した油分を確実に捕集することができる。また、立ち上り部３４の延在部３３からの高さは、フィルタ１０の下面に触れず、延在部３３に滴下した油分が落下しない程度の高さである。
【００２２】
フランジ部３２の背面側直線状部分は、被支持部３３１と対応する幅において、他の部分より高さＨだけ低くなっている。換言すれば、背面側直線状部分の両端付近は、中央部分よりＨだけ高くなっている。この他の部分より高さＨだけ低くなっている部分が、後述する当接部５２と当接する。もちろん、これに限定されず、背面側直線状部分はすべて同じ高さであってもよいし、背面側直線状部の両端付近の２か所の端部が当接部５２と当接してもよい。ただし、フランジ部３２の端部３２１と当接部５２が少なくとも２か所で当接する場合、少なくとも２か所で当接することで、左右のブレなどが無く、より安定した状態で脱落を防止できる。また、フランジ部３２の背面側直線状部分は、これに限定されず、円弧などの曲線を有していてもよい。但し、フランジ部３２の端部３２１と当接部５２の両方が共に直線状である場合、当接部分が長くなるので左右のブレなどが無く、より安定した状態で脱落を防止できる。
【００２３】
保持部５０は、連通口６より背面側近傍に備えられ、支持部５１と当接部５２を有する。支持部５１は、油分捕集部材３０の延在部３３に形成された被支持部３３１を支持する。また、当接部５２は、フランジ部３２の端部３２１であって背面側直線状部の中央部分にあたる他の部分より高さＨだけ低くなっている部分が当接可能である。保持部５０は、ほぼＬ字状の部材から構成され、Ｌ字の水平部分が支持部５１として、Ｌ字の垂直部分はフランジ部３２の側面に当接する部分として、Ｌ字の先端部分からＬ字水平部分と同じ方向であってやや斜め下正面側方向（図視左下方向）にわずかに延在した部分が当接部５２として機能する。
【００２４】
係合部６０は、連通口６より正面側近傍に前後方向（正面・背面方向）に出没自在に備えられ、バネ等の弾性部材によって、油分捕集部材３０の被係合部３６を付勢して設けられる。油分捕集部材３０を取り外そうとする者（使用者）は、付勢力に抗して係合部６０を操作して、係合部６０と被係合部３６の係合を外す。係合部６０は、これに限定されず、油分捕集部材３０の装着時には被係合部３６に係合し、取り外そうとする場合には容易に係合を離れるようになっていればよい。
【００２５】
図３や図９（Ａ）が示す油分捕集部材３０がレンジフード１に装着されている状態においては、係合部６０は、油分捕集部材３０の被係合部３６を係合している。この場合、フランジ部３２の端部３２１は、当接部５２と当接していない。
【００２６】
次に、図６乃至図８並びに図９（Ｂ）乃至（Ｄ）を参照し、油分捕集部材３０をレンジフード１から取り外す場合について説明する。図６と図９（Ｂ）は、係合部６０が油分捕集部材３０の被係合部３６から係合を離れた時の状態を示す。使用者が、油分捕集部材３０をレンジフード１から取り外そうとして、係合部６０を操作して、係合部６０と油分捕集部材３０の被係合部３６との係合を外す。そうすると、油分捕集部材３０は、背面側の片方を保持部５０によって支持されているだけなので、重力により正面側だけが下に落ちようとする。即ち、油分捕集部材３０が装着されている時には、支持部５１は被支持部３３１を面で支持していたが、係合部６０が被係合部３６から係合を離れた時には、支持部５１は、点で被支持部３３１を支持しようとする。そうすると、油分捕集部材３０は、支持部５１を支点ＳＰとして矢印のように回転し始める。
【００２７】
油分捕集部材３０が支持部５１を支点ＳＰとして回転すると、フランジ部３２の端部３２１は、同様にＳＰを支点として回転移動して、図視左上の方へ移動する。そうすると、回転し始める前の装着時には、フランジ部３２の端部３２１は、当接部５２とは当接していなかったが、回転移動することで、やや斜め下正面側方向にわずかに延在した当接部５２に当接することとなる。当接部５２のこの延在の程度は、油分捕集部材３０が支持部５１を支点ＳＰとして回転した場合に、フランジ部３２の端部３２１が描く軌道と交差する程度であれば良く、本実施例では油分捕集部材３０が装着されている時にフランジ部３２の端部３２１と当接部５２との間にある隙間程度である。
【００２８】
フランジ部３２の端部３２１が当接部５２に当接すると、係合部６０が被係合部３６から係合を離れたことで始まった回転が止められる。これによれば、使用者が油分捕集部材３０を取り外そうとして、係合部６０が油分捕集部材３０から係合を離れた時、油分捕集部材３０が支持部５１を支点として回転して端部３２１が当接部５２と当接することで、容易に取り外すことができると共に、油分捕集部材３０の脱落を防止することができる。
【００２９】
図９（Ｃ）は、使用者が、フランジ部３２の端部３２１と当接部５２とが当接した状態からそれらを外す操作を示す。使用者は、回転が止まった状態にある油分捕集部材３０を少し持ち上げるなり、矢印のように正面側に引き出すことで、当接部５２はわずかに延在しているだけなので、容易にフランジ部３２の端部３２１を当接部５２から外すことができる。
【００３０】
図９（Ｄ）および図７と図８は、使用者が、油分捕集部材３０をレンジフード１から完全に取り外す操作を示す。図９（Ｃ）で説明したように、使用者がわずかに正面側に油分捕集部材３０を引き出すなどすることで、フランジ部３２の端部３２１を当接部５２から外すことができた。そうすると、回転を阻止するものが無くなったので、油分捕集部材３０は、再度支持部５１を支点ＳＰとして矢印のように回転し始め、図示するように油分捕集部材３０は、大きく傾く。しかし、この時には、使用者の手が油分捕集部材３０を保持しているので、問題はない。そして、使用者がそのように大きく傾いた油分捕集部材３０を正面側へ矢印の方向へ引き出すことで、油分捕集部材３０は、レンジフード１から完全に取り外すことができる。
【００３１】
なお、本発明は、例示した実施例に限定するものではなく、特許請求の範囲の各項に記載された内容から逸脱しない範囲の構成による実施が可能である。即ち、本発明は、主に特定の実施形態に関して特に図示され、かつ説明されているが、本発明の技術的思想および目的の範囲から逸脱することなく、以上述べた実施形態に関し、形状、材質、数量、その他の詳細な構成において、当業者が様々な変形を加えることができるものである。従って、上記に開示した形状などを限定した記載は、本発明の理解を容易にするために例示的に記載したものであり、本発明を限定するものではないから、それらの形状等の限定の一部もしくは全部の限定を外した部材の名称での記載は、本発明に含まれるものである。
【符号の説明】
【００３２】
１      レンジフード
２      フード部
３      送風機ボックス
４      ファン
５      内面パネル
６      連通口
７      整流板
９      幕板
１０    フィルタ
１１    孔
１２    周縁端部
１４    着脱具
２０    電動機
３０    油分捕集部材
３１    油溜まり
３２    フランジ部
３２１  フランジ部の端部
３３    延在部
３３１  被支持部
３４    立ち上り部
３５    通気開口部
３６    被係合部
４０    電動機取付具
５０    保持部
５１    支持部
５２    当接部
６０    係合部
Ｄ１    空気の流れる方向
ＳＰ    支点
【図１】
2015114058.tif 000003
【図２】
2015114058.tif 000004
【図３】
2015114058.tif 000005
【図４】
2015114058.tif 000006
【図５】
2015114058.tif 000007
【図６】
2015114058.tif 000008
【図７】
2015114058.tif 000009
【図８】
2015114058.tif 000010
【図９】
2015114058.tif 000011